(57)【要約】【課題】歩行時などに使用者の足へ加わる衝撃を十分に緩衝することができ、且つ軽量化を図れるようにする。【解決手段】靴の内部に挿入できるようにしてある中底本体１の踵部分１ａの下面に、下向きに開口する凹み２を設ける。該凹み２内に緩衝構造体３の一部を嵌合させるようにし、該緩衝構造体３を中底本体１の踵部分１ａの下面より下方へ突出させるようにする。上記緩衝構造体３は、湾曲形状とした２枚の板ばね４と５を、湾曲形状の凹面側を内側として相対向するよう重ね合わせる。該重ね合わせた２枚の板ばね４と５の湾曲方向両端部を接触させた状態にして一体的に保持させるようにする。上記中底本体１の下面に接合する下面覆いと上記凹みとの間に上記緩衝構造体３を組み付けるようにする。【選択図】図１
0003163858.tif 000002
【実用新案登録請求の範囲】
【請求項１】
靴の内部に挿入して該靴の内底上に敷いて用いるようにする中底本体の踵部分の下面に、湾曲形状とした２枚の板ばねの湾曲方向両端部を接触させて一体的に保持させてなる緩衝構造体を組み付け、上記中底本体の踵部分と上記靴の内底の上面との間で緩衝構造体が弾性変形できるようにした構成を有することを特徴とする靴の中底。
【請求項２】
緩衝構造体を、湾曲形状とした２枚の板ばねを各湾曲形状の凹面側が相対向するように重ね合わせて湾曲方向両端部を接触させ、且つ上記２枚の板ばねの各湾曲方向両端に設けた係止爪にて２枚の板ばねの湾曲方向両端部を一体的に保持させてなるものとした請求項１記載の靴の中底。
【請求項３】
中底本体の踵部分の下面に、緩衝構造体の一部を嵌合させて組み付けるようにする凹みを設け、該凹みに嵌合した緩衝構造体を上記中底本体の踵部分より下方へ突出させるようにし、中底本体の下面に接合する下面覆いと上記凹みとの間に緩衝構造体を組み付けるようにした請求項１又は２記載の靴の中底。
【請求項４】
緩衝構造体の板ばねに、該板ばねの湾曲方向に延びる切り抜き部を設けるようにした請求項１、２又は３記載の靴の中底。
【考案の詳細な説明】
【技術分野】
【０００１】
本考案は、靴の内部に挿入して使用するインソールとしての靴の中底に関するもので、詳しくは、靴着用時に足の踵の下方位置に、緩衝構造体としてのスプリングを設置した踵部分を位置させるようにして、歩行時などの際に地面から足に伝わる衝撃を緩衝させるようにするための靴の中底に関するものである。
【背景技術】
【０００２】
従来、靴の内部に挿入して靴の内底上に敷いて用いるようにする靴の中底としては、種々のものが提案されているが、その中に、踵部分に緩衝構造体としてのスプリングを設置した構成の靴の中底を用いるようにし、該中底を用いた靴の使用者が歩行などを行っているときに、地面から使用者の足に加わる衝撃を中底の踵部分に設置してある上記緩衝構造体で緩衝できるようにしたものが提案されてきている。
【０００３】
このような靴の中底の一例としては、爪先部分と踵部分を備える弾性部材製の中底本体の該踵部分の下面に、該中底本体とは別体としてある台座を、上下方向に延びる圧縮スプリングを介して一体に取り付けた構造とし、かかる構造の中底を靴に挿入して使用することにより、中底本体の踵部分に上方から荷重がかかったときに、中底本体の踵部分と台座との間に上記圧縮スプリングを圧縮させ、地面から使用者の足に加わる衝撃を緩衝できるようにしたものが提案されている（たとえば、特許文献１参照）。
【０００４】
又、靴の中底の踵部分にスプリングを設置した他の例としては、中底要素、つま先、踵部分からなる靴の中底の中底要素の下面に溝を設けて、該溝に溝と同じ寸法の板ばねを収納して、該板ばねを中底要素にリベットで固定支持して望ましい堅さを持つようにした構成の中底とし、該中底を靴上部と靴底とともに組み立て、縫合等によって一緒に取り付け、靴の形とするようにしたものが提案されてきている（たとえば、特許文献２参照）。
【０００５】
なお、板ばねとしては、所定の曲率半径に曲げられてなる２枚の板ばねを、該板ばねの両端同士が当接するように対向させて、一方の板ばねに設けた孔に他方の板ばねに設けた突起を係合させてなる構成のものが提案されてきている（たとえば、特許文献３参照）。
【先行技術文献】
【特許文献】
【０００６】
【特許文献１】特許第４３６３９１１号公報
【特許文献２】特公平６−６１２８５号公報
【特許文献３】特開２００５−３３０７４６号公報
【考案の概要】
【考案が解決しようとする課題】
【０００７】
上記特許文献１に記載されたものは、中底本体の踵部分の下面に、圧縮スプリングを介して台座を取り付けて一体構造の中底としてあるものであり、靴のインソールとして使用することにより、その靴を着用した使用者が足の踵を接地させるときの衝撃を上記圧縮スプリングの弾力で吸収させることができて、使用者の足の踵に作用する衝撃を緩衝できることから、有効なものであるが、全体として重量が大となっている。
【０００８】
一方、上記特許文献２に記載されたものは、中底要素の下面に設けた溝内に板ばねを収納して中底要素に板ばねをリベットで固定し、中底を望ましい堅さを持つようにして、靴を履いて使用する際にも中底はその形を保ち、形を崩さないようにするためのものであり、靴底が地面に接触したときの荷重を板ばねに伝えることを意図したものではない。仮に、板ばねを緩衝構造体と考えたとしても、上記板ばねは、中底要素にリベットにより固定支持されるようにしてある構成のものであるため、該板ばねの自由な弾性変形は阻害されており、地面から足へ加わる衝撃を有効に緩衝することができない。
【０００９】
なお、上記特許文献３に記載された板ばねは、道路、橋梁等の伸縮性ジョイント部材に使用されるもので、円弧状に曲げられた板ばねを２枚１組として端部を接触させて用いるようにしてあり、更に、２枚の板ばねを扁平させるように加圧することにより、一方の板ばねの端部に設けた孔に他方の板ばねの端部に設けた突起が係合するようにしてあるにすぎないものである。そのため、２枚の板ばね同士は連結されているものではない、このため、この特許文献３に記載された板ばねを、上記特許文献２に記載された靴の中底における板ばねに代えて適用したとしても、使用者が歩行などをしているときに、一方の板ばねの端部に設けた孔から他方の板ばねの端部に設けた突起が容易に離脱して、２枚の板ばねが分離してしまうことになり、構造体として機能し得なくなるということが懸念される。そこで、特許文献２に記載された板ばねのように、特許文献３に記載された２枚の板ばねを、リベットにより特許文献２に記載された中底要素に固定するようにした場合は、該リベットにより板ばねの自由な弾性変形が阻害されることになり、歩行時などに地面から使用者の足へ加わる衝撃を有効に緩衝することはできない。
【００１０】
そこで、本考案は、簡単な構造で歩行時などに使用者の足へ加わる衝撃を十分に緩衝することができ、且つ軽量化が図れるようにした靴の中底を提供しようとするものである。
【課題を解決するための手段】
【００１１】
本考案は、上記課題を解決するために、靴の内部に挿入して該靴の内底上に敷いて用いるようにする中底本体の踵部分の下面に、湾曲形状とした２枚の板ばねの湾曲方向両端部を接触させて一体的に保持させてなる緩衝構造体を組み付け、上記中底本体の踵部分と上記靴の内底の上面との間で緩衝構造体が弾性変形できるようにした構成を有するものとする。
【００１２】
上記構成における緩衝構造体を、湾曲形状とした２枚の板ばねを各湾曲形状の凹面側が相対向するように重ね合わせて湾曲方向両端部を接触させ、且つ上記２枚の板ばねの各湾曲方向両端に設けた係止爪にて２枚の板ばねの湾曲方向両端部を一体的に保持させてなるものとする。
【００１３】
又、上記構成において、中底本体の踵部分の下面に、緩衝構造体の一部を嵌合させて組み付けるようにする凹みを設け、該凹みに嵌合した緩衝構造体を上記中底本体の踵部分より下方へ突出させるようにし、中底本体の下面に接合する下面覆いと上記凹みとの間に緩衝構造体を組み付けるようにした構成とする。
【００１４】
更に、上記構成における緩衝構造体の板ばねに、該板ばねの湾曲方向に延びる切り抜き部を設けるようにした構成とする。
【考案の効果】
【００１５】
本考案の靴の中底によれば、次のような優れた効果を発揮する。 
（１）靴の内部に挿入して該靴の内底上に敷いて用いるようにする中底本体の踵部分の下面に、湾曲形状とした２枚の板ばねの湾曲方向両端部を接触させて一体的に保持させてなる緩衝構造体を組み付け、上記中底本体の踵部分と上記靴の内底の上面との間で緩衝構造体が弾性変形できるようにした構成を有するものとしてあるので、靴の内部に挿入して使用するインソールとしての靴の中底を、踵部分に簡単な構造の緩衝構造体を組み付けたものとすることができて、これを靴の内部に挿入して使用することにより、使用者の足の踵を押し下げて靴底を接地させたときに、中底本体の踵部分と靴の内底上面との間で緩衝構造体を弾性変形させることができて、地面から使用者の足に加わる衝撃を吸収して緩和させることができる。このとき、緩衝構造体は、湾曲形状の２枚の板ばねの湾曲方向両端部を接触させて一体的に保持させてあるので、２枚の板ばねが弾性変形して衝撃を緩和する際に、２枚の板ばねの湾曲方向両端部が離脱することがなく、長期間に亘って緩衝作用をすることができる。 
（２）上記構成における緩衝構造体を、湾曲形状とした２枚の板ばねを各湾曲形状の凹面側が相対向するように重ね合わせて湾曲方向両端部を接触させ、且つ上記２枚の板ばねの各湾曲方向両端に設けた係止爪にて２枚の板ばねの湾曲方向両端部を一体的に保持させてなるものとした構成としてあるので、上記（１）の効果をより確実に行わせることができると共に、軽量化を図ることができて、この緩衝構造体を備えた本考案の靴の中底自体の軽量化を図ることができて、取り扱いが簡単になる。 
（３）又、上記構成において、中底本体の踵部分の下面に、緩衝構造体の一部を嵌合させて組み付けるようにする凹みを設け、該凹みに嵌合した緩衝構造体を上記中底本体の踵部分より下方へ突出させるようにし、中底本体の下面に接合する下面覆いと上記凹みとの間に緩衝構造体を組み付けるようにした構成とすることにより、緩衝構造体の下半分を中底本体の踵部分の下面より下方へ突出させた状態で組み付けることができて、靴の内部に挿入して使用するとき、中底本体の踵部分の下面が靴の内底上面に接触する方向に上方から荷重をかけることにより、上記中底本体の踵部分と靴の内底との間で緩衝構造体を弾性変形させることができて、中底本体の踵部分が緩衝構造体の弾力性の障害となるようなことはない。 
（４）更に、緩衝構造体の板ばねに、該板ばねの湾曲方向に延びる切り抜き部を設けるようにした構成とすることにより、板ばねに切り抜き部に隣接して形成される帯状の板ばね条片部により弾性変形をより円滑に行わせることができると共に、より軽量化を図ることができる。
【図面の簡単な説明】
【００１６】
【図１】本考案の靴の中底の実施の一形態を示すもので、（イ）は概略底面図、（ロ）は（イ）のＡ−Ａ方向切断側面図である。
【図２】図１に示す本考案の靴の中底における緩衝構造体の一例を示すもので、（イ）は概略正面図、（ロ）は（イ）のＢ−Ｂ方向切断側面図である。
【図３】図１に示す本考案の靴の中底を靴の内部に挿入した状態を示すもので、（イ）は靴の踵の底部が地面から離れた状態を示す一部切断側面図、（ロ）は靴の踵部分の底部が地面に接した状態を示す一部切断側面図である。
【考案を実施するための形態】
【００１７】
以下、図面に基づき本考案を実施するための形態を説明する。
【００１８】
図１乃至図３は本考案の靴の中底の実施の一形態を示すもので、本考案の靴の中底Ｉは、靴の内部に挿入して使用できるようにするために、中底本体１は、靴を着用する使用者の足の裏が接触する面である靴の内底の平面形状に合わせた平面形状に形成すると共に、該中底本体１の踵部分１ａの下面に、下向きに開口する凹み２を設ける。該凹み２内には、湾曲形状とした２枚の板ばね４と５の湾曲する方向の両端部同士を接触させて重ね合わせると共に、該接触部同士を一体的に保持させて、２枚の板ばね４と５により重ね合わせ方向に弾力性を付与させるようにしてなる緩衝構造体３を嵌合させて組み付け、中底本体１の踵部分１ａの下面側に２枚の板ばね４，５による緩衝構造体３を備えた構成とする。
【００１９】
詳述すると、上記中底本体１は、図１（イ）（ロ）に示す如く、たとえば、弾性部材よりなり、その先端側となる爪先側部分１ｂと後端側となる踵部分１ａを連続させて、該踵部分１ａを爪先側部分１ｂよりも肉厚を厚くなるようにした構造としてある。上記中底本体１の踵部分１ａの下面には、上記緩衝構造体３の平面形状に対応させて、該踵部分１ａと上記爪先側部分１ｂとを結ぶ前後方向と、該前後方向と直交する左右方向にそれぞれ広がるようにした矩形状の凹み２を形成し、該凹み２は、緩衝構造体３の厚み方向の寸法の約半分が嵌合できるような深さとなるようにしてある。
【００２０】
一方、上記緩衝構造体３は、図２（イ）（ロ）に示す如く、所定の曲率に屈曲させて湾曲形状とした２枚の方形状の板ばね４と５を、各々の湾曲形状の凹面側が内側となるよう相対向させて、湾曲方向の両端部同士を接触させて一体化させた構成としてある。そのために、上記２枚の板ばね４と５の各湾曲方向の両端の複数個所（図２では２個所の場合が示してある）には、２枚の板ばね４と５の各湾曲方向両端部を接触させた状態に保持するための係止爪４ａ，４ｂと５ａ，５ｂを、それぞれ湾曲方向の内側となる方向へ屈曲させて突設してあり、２枚の板ばね４，５の湾曲方向両端部を接触させるとき、一方の板ばね４の両端の係止爪４ａと４ｂに、他方の板ばね５の両端を係止させると共に、上記他方の板ばね５の両端の係止爪５ａと５ｂに、上記一方の板ばね４の両端を係止させるようにして、両板ばね４，５の湾曲方向両端部を接触させた状態に保持させ、２枚の板ばね４と５を一体構造とするようにしてある。これにより、２枚の板ばね４，５の湾曲形状の外側となる凸面側から荷重を加えることにより、緩衝構造体３は、湾曲形状とした２枚の板ばね４，５により十分な弾力性が得られるようにしてある。
【００２１】
更に、上記緩衝構造体３は、各板ばね４と５が図２（イ）に一例を示すような平面形状としてあり、且つ各板ばね４，５には、湾曲方向の両端部に達する長さを有する細長い切り抜き部６を複数並べて設けた構成としてある。
【００２２】
なお、図２（イ）では、上記板ばね４と５に施す切り抜き部６の形状を、図示のように、長手方向中央部から長手方向両端部に向けて末広がり状となるようにして、板ばね４，５に、平面形状が菱形形状をなす板ばね条片部が複数平行形成され、各板ばね条片部の弾性を利用できるようにしてあり、且つ、軽量化を図るようにしてあるが、板ばね４，５自体の平面形状や切り抜き部６の平面形状等は図２（イ）に示すものに限定されるものではない。
【００２３】
上記構成としてある緩衝構造体３の平面形状と板ばね４，５の湾曲形状に合わせて、前記中底本体１の踵部分１ａの下面に設ける凹み２は、その大きさと深さを決定するようにしてある。
【００２４】
本考案の靴の中底Ｉは、上記構成としてある中底本体１の踵部分１ａの下面に形成された凹み２内に、２枚の板ばね４と５を組み合わせて一体構造としてなる緩衝構造体３の厚み方向の約半分、すなわち、２枚の板ばね４，５のいずれか一方（図１では板ばね５の場合を示す）を、埋め込むように嵌め込んで、中底本体１の踵部分１ａの下面より板ばね４が下方へ突出している状態に組み付けて使用するようにする。この際、上記凹み２から緩衝構造体３が脱落することがないようにしておくために、中底本体１の下面には、該中底本体１の爪先側部分１ｂから踵部分１ａの下面を覆い得る大きさを有する薄い布製又は樹脂製の下面覆い７を配置して、中底本体１の下面に接合してあり、中底本体１の凹み２の内部と上記下面覆い７との間との間に、緩衝構造体３を収納して保持した状態としてある。
【００２５】
なお、図中８は中底本体１の上面に一様に接合してある薄い布製の上部覆いである。又、９は本考案の中底Ｉを使用する靴であり、９ａは靴底、９ｂは靴９の内底、１０は使用者の足、１０ａは足１０の踵である。
【００２６】
本考案の靴の中底Ｉは、上記のように中底本体１の踵部分１ａの下面側に２枚の板ばね４，５を上下方向に重ねてなる緩衝構造体３を保持するようにした構成としてあるので、本考案の靴の中底Ｉを使用するときは、使用したい靴の内部にそのまま挿入し、中底本体１の下面と、該中底本体１の踵部分１ａの下面より下方へ突出させてある緩衝構造体３の一部とを、下面覆い７を介して図３（イ）（ロ）に概略を示す如く靴９の内底上面に接するように敷いておくようにする。
【００２７】
次に、本考案の靴の中底が挿入されている靴９を使用者が着用する（履く）ときは、通常の靴を足に着用するときと同様に、当該靴９の内部に足を挿入して着用すればよい。これにより、使用者の足１０の足裏部は、靴９の内部に挿入された本考案の中底Ｉの中底本体１の上面に接触させられる。この状態で使用者が歩行したり、走ったりするために着用した靴９の靴底９ａを接地させると、その都度、使用者の足１０により本考案の中底を介して靴９の靴底９ａを地面に押し付ける大きな荷重が加えられる。この際、本考案の靴の中底Ｉは、中底本体１の踵部分１ａの下面の凹み２に緩衝構造体３が嵌合させてあり、この緩衝構造体３を構成する２枚の板ばね４，５のうちの１枚の板ばね（図１の例では板ばね４）は中底本体１の踵部分１ａの下面より下方へ突出した状態としてあるので、上記使用者の着用した靴９の靴底９ａが接地させられるときに、使用者の足１０により本考案の中底における中底本体１の踵部分１ａが靴９の内底９ｂ面上に接触させられるように押し下げられることにより、上記緩衝構造体３の２枚の板ばね４，５は、図３（イ）の状態から（ロ）の状態に圧縮力を受けて上下の板ばね４，５が接近するように扁平させられる。この緩衝構造体３の圧縮変形により、地面から使用者の足１０に作用する衝撃を吸収することができ、足１０に加わる衝撃力を緩和させることができることになる。
【００２８】
上記において、緩衝構造体３の２枚の板ばね４，５が上下方向の荷重を受けて圧縮させられるとき、中底本体１の凹み２内で上下に位置する２枚の湾曲した板ばね４，５は、湾曲形状が緩やかな曲面となるように変形させられることにより、荷重を容易に吸収させることになる。この際、上記板ばね４，５は互いに湾曲方向両端部の方向に伸ばされるようになるが、２枚の板ばね４，５の湾曲方向両端部は、重なるように接触した状態で一方の板ばね４の両端に設けた係止爪４ａ，４ｂと他方の板ばね５の両端に設けた係止爪５ａ，５ｂにより互いに保持するようにして一体構造としてあるため、上記２枚の湾曲した板ばね４，５が接近する方向に圧縮作用を受けたときに、２枚の板ばね４，５同士は、湾曲方向両端部で離脱するようなことはない。
【００２９】
次に、使用者が着用した靴９を地面に接地した状態から足の踵１０ａを上方へ持ち上げるようにしたときは、本考案の中底の踵部分を押し下げようとする使用者の足による荷重が解放されるため、本考案の中底における中底本体１の踵部分１ａの緩衝構造体３は、上下２枚の板ばね４，５がそれぞれの弾力性による復元力により図３（ロ）の扁平状態から元の湾曲形状に戻される。この２枚の板ばね４，５の元の湾曲形状に変形することにより、中底本体１の踵部分１ａは、図３（ロ）に示す如く、靴９の内底９ｂ上面に下面が接している状態から図３（イ）に示す如く踵部分１ａの下面が靴９の内底９ｂより離れて押し上げられることになる。これにより、使用者の足１０の踵１０ａに対し、中底本体１の踵部分１ａを介して緩衝構造体３による押し上げ力が付与されることになり、使用者の軽快な歩行などを助勢することができる。
【００３０】
なお、本考案の靴の中底は、前記した実施の形態のみに限定されるものではなく、たとえば、緩衝構造体３は、本考案の靴の中底を使用する靴の種類や大きさにより異なる靴の踵部の大きさに対応した寸法のものを用意し、かかる異なる靴の内底に対応した寸法、形状の中底本体１の踵部分１ａ下面の凹み２に組み付けて用いるようにすればよく、この際、２枚の板ばね４，５の各湾曲形状の曲率は、任意であり、緩衝構造体３の湾曲方向の寸法が大きいものでは、図２（ロ）に示すものに比して曲率を小さくするようにしてもよいこと、２枚の板ばね４，５の各湾曲方向両端には各々２つずつの係止爪４ａ，４ｂと５ａ，５ｂを設けている場合を示したが、これに限定されるものではなく、必要に応じてその数を変更するようにしてもよいこと、又、２枚の板ばね４，５の湾曲方向両端部を接触させた状態で一体的に保持できるものであれば、係止爪４ａ，４ｂ，５ａ，５ｂ以外のものでもよいこと、更に、本考案の靴の中底は、紳士用、婦人用、スポーツ用、その他の各種の靴に適用できるものであること、その他本考案の要旨を逸脱しない範囲内で種々変更を加え得ることは勿論である。
【符号の説明】
【００３１】
１  中底本体
１ａ  踵部分
２  凹み
３  緩衝構造体
４  板ばね
４ａ，４ｂ  係止爪
５  板ばね
５ａ，５ｂ  係止爪
６  切り抜き部
【図１】
0003163858.tif 000003
【図２】
0003163858.tif 000004
【図３】
0003163858.tif 000005